(57)【特許請求の範囲】
【請求項１】
弾性繊維が交編されて形成されてなり、該弾性繊維の太さが５０〜１００デニールである弾性編み生地から形成される下着であって、
前記弾性繊維は、弾性編み生地全体の５〜３０重量％であるとともに、
該弾性編み生地を経方向に５０％引き伸ばした際の荷重値（幅１ｃｍ当り）が０．５０〜５．００Ｎ、横方向の荷重値が１．００〜４．００Ｎであり、
前記弾性編み生地に、皮膚又は鼻腔から吸収されることによって、脂肪燃焼を促進、または脂肪吸収を抑制することができる成分が付着されていることを特徴とする下着。
【発明の詳細な説明】
【０００１】
【発明の属する技術分野】
本発明は該弾性編み生地を用いた下着に関し、その目的は、好ましい被服圧を生じることができ、着用するだけで優れた皮膚マッサージ効果を付与することができる弾性編み生地及び該弾性編み生地を用いた下着を提供することにある。
【０００２】
【従来の技術】
年齢を重ねるとともに、腹部、臀部、大腿部などに皮下脂肪がついて、身体のシルエットが崩れ、美しいボディーラインを保持することができない。このために、補正用下着を着用することが行われている。
【０００３】
着用するだけで脂肪燃焼を促進するように、皮膚のマッサージ効果が得られる補正用下着が提案されている。
例えば、特許文献１には、臀部、尻及び腿を含む領域を有し、該領域が、適度な圧縮を生じ、かくして、臀部、尻及び腿にマッサージ作用と爽快作用を生ずるように、平メッシュの編み面に対して浮き上がった交互の波型を有するタックステッチメッシュによって形成されたガードルが記載されている。
【０００４】
【特許文献１】
特許第３２０７８０８号公報
【０００５】
【発明が解決しようとする課題】
しかしながら、上記した皮膚マッサージ効果が得られる下着には以下のような問題が存在した。
上記した下着には生地の表面に浮き上がった交互の波型が形成されており、この波型によって皮膚マッサージ効果を生じることができる。しかし、波型が形成されていることによって、皮膚に凸凹の跡が残り易いといった問題があった。また生地に形成された波型が皮膚に密着して擦れるために、皮膚が乾燥し易く、肌に弱い人には皮膚トラブルの原因となった。
さらには、上記した下着は、着用して歩行したり動いたりしているときには、皮膚マッサージ効果が得られるが、長時間座っているときのように運動していない場合は、皮膚マッサージ効果を得ることができなかった。
【０００６】
上記した下着は、生地の両面に波型が形成されている。波型が下着の表面側にも形成されているために、例えば、スリムジーンズなどの下着のシルエットが気になる服の下に着用する場合、ガードルの波型が目立つといった問題が存在した。
【０００７】
【課題を解決するための手段】
本発明は上記課題を解決するためになされたものであって、請求項１に係る発明は、弾性繊維が交編されて形成されてなり、該弾性繊維の太さが５０〜１００デニールである弾性編み生地から形成される下着であって、前記弾性繊維は、弾性編み生地全体の５〜３０重量％であるとともに、該弾性編み生地を経方向に５０％引き伸ばした際の荷重値（幅１ｃｍ当り）が０．５０〜５．００Ｎ、横方向の荷重値が１．００〜４．００Ｎであり、前記弾性編み生地に、皮膚又は鼻腔から吸収されることによって、脂肪燃焼を促進、または脂肪吸収を抑制することができる成分が付着されていることを特徴とする下着に関する。
【０００８】
【発明の実施の形態】
以下、本発明に係る弾性編み生地及び該編み生地を用いた下着について説明する。本発明の本発明に係る弾性編み生地は、基本編地の全幅にわたって弾性繊維が交編されて弾性編み生地が形成されている。
本発明に係る弾性編み生地は、平編み、ゴム編み、パール編みなどを本発明に係る弾性編み生地の基本編地とすることができ、好ましくは平編みを本発明に係る弾性編み生地の基本編地とする。
【０００９】
本発明に係る弾性編み生地は、その全幅にわたって弾性繊維が交編されて形成されている。弾性繊維としては、ポリウレタン弾性繊維が用いられる。
ポリウレタン弾性繊維としては、通常のポリウレタン弾性繊維よりも太い繊維が用いられ、通常のポリウレタン弾性繊維の約２〜３倍程度の太さのポリウレタン弾性繊維が用いられる。具体的には、太さが５０〜１００デニール、好ましくは６０〜８０デニールのポリウレタン弾性繊維が用いられる。
通常の太さのポリウレタン弾性繊維よりも太いポリウレタン弾性繊維を用いて交編することによって、本発明に係る弾性編み生地を適度な弾性を有する編み生地とすることができる。
【００１０】
本発明に係る弾性編み生地において、弾性繊維は弾性編み生地全体の５〜３０重量％、好ましくは１０〜２０重量％程度用いられる。
弾性繊維とともに編み生地を構成することができる繊維は特に限定されないが、綿、レーヨン、ナイロン、ポリエステル等を例示することができ、これらのうちの一種又は二種以上を用いることができる。
【００１１】
本発明に係る弾性編み生地を５０％引き伸ばした際の荷重値（幅１ｃｍ当り）は特に限定されないが、本発明に係る弾性編み生地を経方向に引き伸ばした場合、０．５０〜５．００Ｎ、好ましくは０．６０〜３．００Ｎとされる。
また本発明に係る弾性編み生地を横方向に引き伸ばした場合、１．００〜４．００Ｎ、好ましくは１．２０〜２．５０Ｎとされる。
５０％引き伸ばし時の荷重値（幅１ｃｍ当り）を上記のような範囲内とすることで、適度は被服圧を有する弾性編み生地とすることができる。
【００１２】
本発明に係る弾性編み生地は、適度な被服圧を生じることができ、これによって適度な皮膚マッサージ効果が得られる。
本発明に係る弾性編み生地の表面には波型のような凹凸が形成されていないので、皮膚の弱い人であっても安心して使用することができる。また凹凸が形成されていないので、目立ちにくくスリムジーンズのようなタイトな洋服を着用する場合でも使用することができる。
【００１３】
さらに、本発明に係る編み生地は、弾性編み生地を構成する繊維に、皮膚又は鼻腔から吸収されて脂肪燃焼を促進、または脂肪の吸収を抑制することができる成分（以下、単に脂肪燃焼成分という。）が付着されている。
皮膚から吸収されて脂肪燃焼を促進、または脂肪の吸収を抑制することができる成分としては、カフェイン、クマリン類、フロクマリン類、フタライド類等のラクトン類、ケトン類等を例示することができる。
また鼻腔から吸収されて脂肪燃焼を促進、または脂肪の吸収を抑制することができる成分としては、天然香料や合成香料等の各種香料を例示することができる。
特に本発明では、脂肪燃焼成分として、ラクトン類を使用することが好ましい。
【００１４】
上記した成分を繊維に付着させる方法は特に限定されず、例えば、各成分を無機担体などに担持させたものを繊維中に配合する方法や、上記した成分を徐放性のカプセル状に加工して繊維中に配合する方法などを例示することができる。
また耐洗濯性を向上するために、アクリル樹脂エマルション等を使用して上記した成分を繊維中に付着させることもできる。
【００１５】
脂肪燃焼成分を弾性編み生地に含有する場合、弾性編み生地に含有する量は特に限定されないが、弾性編み生地の全量中に、０．５〜５．０重量％、好ましくは１．０〜２．０重量％程度を配合すればよい。０．５重量％未満の付着量では、脂肪燃焼、脂肪吸収抑制効果を示すことができない場合がある。５．０重量％を超えて添加しても、それ以上の効果が現れない場合がある。
【００１６】
本発明に係る弾性編み生地に、脂肪燃焼成分を付着させることにより、本発明に係る皮膚マッサージ効果とあいまって、脂肪燃焼効果及び脂肪吸収抑制効果を発揮して、高いダイエット効果を得ることができる。従来の皮膚マッサージ効果をうたった下着に使用される弾性編み生地は、着用者が運動を行っている場合は、ある程度の皮膚マッサージ効果を発揮して、ダイエット効果を示すことができるが、着用者が運動を行っていない場合は、ダイエット効果を発揮することができなかった。
本発明の弾性編み生地は、脂肪燃焼成分を付着させたことによって、着用者が運動している場合には、弾性編み生地による皮膚マッサージ効果と脂肪燃焼成分による脂肪燃焼、脂肪吸収抑制効果によって優れたダイエット効果を発揮することができる。さらに着用者が運動を行っていない場合でも、脂肪燃焼成分による脂肪燃焼、脂肪吸収抑制効果によって、ダイエット効果を発揮することができ、着用者が本発明に係る下着を着用しているときは常にダイエット効果を発揮することができる。
【００１７】
次に、本発明に係る下着について説明する。
まず、本発明の下着について説明する。本発明の下着は、上述した弾性編み生地を含有する編み生地から構成される。
図１及び図２は、本発明の下着を示す平面図であり、図１はショーツ、図２はガードルの形態に形成されている。図３及び４は、本発明の下着を着用した状態を示す図であり、図３は図１に示されるショーツを、図４は図２に示されるガードルを着用した状態を示す図である。
【００１８】
図１及び図３に示されるショーツ（２）は、前身頃と後身頃から形成されるショーツ本体（２０）と、ショーツ本体（２０）の上部開口部周縁部（胴回り部）に設けられたベルト部（２１）と、ショーツ本体（２０）の股回り部に設けられたレース装飾部（２２）とから構成される。
図１及び図３に示されるショーツ（１）においては、ベルト部（２１）及びレース装飾部（２２）以外の部分が本発明に係る弾性編み生地から構成されている。
【００１９】
図２及び図４に示されるガードル（３）の場合、前身頃と後身頃から形成されるガードル本体（３０）と、ガードル本体（３０）の上部開口部周縁部（胴回り部）に設けられたベルト部（３１）と、ガードル本体（３０）の脚回り部に設けられたレース装飾部（３２）とから構成される。
図２及び図４に示されるガードル（３０）においては、ベルト部（３１）及びレース装飾部（３２）以外の部分が本発明に係る弾性編み生地から構成されている。
【００２０】
図１及び図３に示されるショーツ（２）の場合、ショーツ本体（２０）が本発明に係る弾性編み生地から構成されるが、ショーツ本体（２０）の周方向が本発明に係る弾性編み生地の横方向と一致するように構成されている。
【００２１】
図２及び図４に示されるガードル（３）の場合、ガードル本体（３０）が本発明に係る弾性編み生地から構成されるが、ガードル本体（３０）の周方向が本発明に係る弾性編み生地の横方向と一致するに構成されている。
【００３２】
本発明の下着は、弾性編み生地による弾性によって皮膚を適度な被服圧で圧迫することにより、皮膚マッサージ効果を得ることができる。この皮膚マッサージ効果によって、血液やリンパの流れが促進されて新陳代謝を促進することができる。
また本発明の下着は、皮膚を適度は被服圧で圧迫することによるものであるから、歩行や運動しているときは勿論、椅子に着座して運動していない場合でも皮膚刺激を継続して与えることができ、常に、皮膚刺激を行うことが可能である。
本発明の下着は、従来の皮膚マッサージ効果を謳った下着と異なり、皮膚と接触する面に凹凸が設けられていないので、皮膚に凹凸の後が残ることが無い。本発明に係る下着は、従来のようにその表面に凹凸が形成されていないので、例えば、タイトスカートやスリムジーンズを着用する場合でも、外観を気にすることなく着用することができる。
【００２３】
更に、本発明の下着は、着用者の脂肪燃焼促進効果や脂肪吸収抑制効果を有する。
従来の皮膚マッサージ効果を謳った下着は、着用者が動くことによって皮膚マッサージ効果を与えることができるものであるが、本発明の下着は、着用者が動いている場合は、弾性編み生地による皮膚マッサージ効果によって、着用者の新陳代謝を高めることができるとともに、着用者が動いていない場合でも、脂肪分解成分の働きによって着用者の脂肪燃焼を促進することができ、より高いダイエット効果を得ることができる。
【００２４】
上述した本発明の下着では、ショーツ及びガードルの形態について、図面を参照しつつ説明したが、下着の形態はこれに限定されるものではなく、この他にも例えば、タンクトップ、ウェストニッパー、ボディースーツ、スパッツ、パンティストッキング、タイツなどを例示することができ、女性用のインナーウェアーの形態とすることがより好ましい。
【００２５】
【発明の効果】
以上詳述した如く、請求項１に係る下着は、適度な被服圧によって着用者の皮膚を刺激して、皮膚マッサージ効果を生じることができ、連続して着用することによって、優れたダイエット効果が得られる。また従来の弾性編み生地のように波型の凹凸部が形成されていないから、皮膚の弱い人でも安心して着用することが可能である。さらに、脂肪燃焼成分が付着しているので、弾性編み生地による皮膚マッサージ効果と相まって、優れたダイエット効果を生じることができる。
【図面の簡単な説明】
【図１】本発明に係る下着の平面図である。
【図２】本発明に係る下着の平面図である。
【図３】本発明に係る下着を着用した状態を示す図である。
【図４】本発明に係る下着を着用した状態を示す図である。
【符号の説明】
２ ショーツ
２０ ショーツ本体
２１ ベルト部
２２ レース装飾部
３ ガードル
３０ ガードル本体
３１ ガードル本体
３２ レース装飾部
【図１】
0003779695.tif 000002
【図２】
0003779695.tif 000003
【図３】
0003779695.tif 000004
【図４】
0003779695.tif 000005